(57)【要約】【課題】灯体の点灯に関するパラメータを自由に調整でき、しかも、灯体ユニットを容易に脱着することができる車両用照明装置を提供する。【解決手段】灯体ユニット１０の回転中心に磁着用永久磁石１４を設け、灯体ユニット１０の回転中心から離間した位置に操作伝達用永久磁石１７Ａ，１７Ｂを設ける。ホルダー２０に、灯体ユニット１０側の磁着用永久磁石１４が磁着されて灯体ユニット１０を保持する磁着用永久磁石２４と、操作伝達用永久磁石１７Ａ，１７Ｂと相互に吸引し合う操作受け用永久磁石２８を設ける。ホルダー２０には、さらに操作受け用永久磁石２８の回転を検出する回転検出ブロック２６を設ける。回転検出ブロック２６によって検出された操作受け用永久磁石２８の回転情報を基にして主灯体１１の点灯に関するパラメータを操作する。【選択図】図２
2016037244.tif 000002
【特許請求の範囲】
【請求項１】
灯体を有する灯体ユニットと、
車体に設置され、前記灯体ユニットが脱着可能にかつ回転可能に取り付けられるホルダーと、
を備え、
前記灯体ユニットには、回転中心に配置される永久磁石による磁着部と、前記回転中心から離間した位置に配置される操作伝達用の永久磁石と、が設けられ、
前記ホルダーには、前記磁着部が磁着されて前記灯体ユニットを保持する被磁着部と、前記操作伝達用の永久磁石と相互に吸引し合う操作受け用の永久磁石と、前記操作受け用の永久磁石の回転を検出する回転検出部と、が設けられ、
前記回転検出部によって検出された前記操作受け用の永久磁石の回転情報を基にして前記灯体の点灯に関するパラメータが操作されることを特徴とする車両用照明装置。
【請求項２】
前記灯体ユニットと前記ホルダーのいずれか一方には断面円形状の凸部が設けられ、前記灯体ユニットと前記ホルダーのいずれか他方には、前記凸部と嵌合可能な凹部が設けられ、
前記磁着部は、前記凸部と前記凹部のいずれか一方に設けられ、前記被磁着部は、前記凸部と前記凹部のいずれか他方に設けられていることを特徴とする請求項１に記載の車両用照明装置。
【請求項３】
前記ホルダーには、前記凹部が設けられ、
前記灯体ユニットには、前記凸部が前記凹部との嵌合方向に所定の変動代をもって設けられ、
前記凸部と凹部には、両者の嵌合時に前記ホルダーと前記灯体ユニットの間で電気を授受する通電構造が設けられていることを特徴とする請求項２に記載の車両用照明装置。
【請求項４】
前記凸部は、前記凹部との嵌合時には前記灯体ユニットの他の部位よりも突出し、前記凹部と非嵌合のときに押し込みによって前記灯体ユニットの他の部位と面一となることを特徴とする請求項３項に記載の車両用照明装置。
【請求項５】
前記灯体ユニットの連続した回転操作により、前記灯体ユニットの灯体と車室内の他の灯体とが連続して点灯に関するパラメータを操作されることを特徴とする請求項１〜４のいずれか１項に記載の車両用照明装置。
【発明の詳細な説明】
【技術分野】
【０００１】
この発明は、車両用照明装置に関するものである。
【背景技術】
【０００２】
車室内の天井部等に設置される車両用照明装置の多くは、灯体を収容するケースの車室内側が開口し、その開口部分に操作スイッチを兼ねる透明若しくは半透明のレンズが取り付けられている（例えば、特許文献１参照）。
この種の車両用照明装置は、操作スイッチを兼ねるレンズを一度押し込むと、ケース内の灯体が点灯し、再度レンズを押し込むことによって灯体が消灯状態とされる。
【先行技術文献】
【特許文献】
【０００３】
【特許文献１】特開２０１４−４３２２６号公報
【発明の概要】
【発明が解決しようとする課題】
【０００４】
上記従来の車両用照明装置は、レンズ部分を繰り返し押すことによって灯体の点灯と消灯を切り替えることができるが、灯体の輝度等の点灯に関する詳細なパラメータを自由に調整することができない。
【０００５】
また、現在、ユーザーの好みに応じて車両用照明装置の外観や機能を自由に変えたいという要望があるが、上記従来の車両用照明装置においては、外観や機能を変更することは容易ではない。
【０００６】
そこでこの発明は、灯体の点灯に関するパラメータを自由に調整でき、しかも、灯体ユニットを容易に脱着することができる車両用照明装置を提供しようとするものである。
【課題を解決するための手段】
【０００７】
この発明に係る照明装置は、上記課題を解決するために、灯体（例えば、実施形態の主灯体１１）を有する灯体ユニット（例えば、実施形態の灯体ユニット１０）と、車体に設置され、前記灯体ユニットが脱着可能にかつ回転可能に取り付けられるホルダー（例えば、実施形態のホルダー２０）と、を備え、前記灯体ユニットには、回転中心に配置される永久磁石による磁着部（例えば、実施形態の磁着用永久磁石１４）と、前記回転中心から離間した位置に配置される操作伝達用の永久磁石（例えば、実施形態の操作伝達用永久磁石１７Ａ，１７Ｂ）と、が設けられ、前記ホルダーには、前記磁着部が磁着されて前記灯体ユニットを保持する被磁着部（例えば、実施形態の磁着用永久磁石２４）と、前記操作伝達用の永久磁石と相互に吸引し合う操作受け用の永久磁石（例えば、実施形態の操作受け用永久磁石２８）と、前記操作受け用の永久磁石の回転を検出する回転検出部（例えば、実施形態の回転検出ブロック２６）と、が設けられ、前記回転検出部によって検出された前記操作受け用の永久磁石の回転情報を基にして前記灯体の点灯に関するパラメータが操作されるようにした。
【０００８】
これにより、灯体ユニットは、磁着部をホルダー側の非磁着部に磁着することによって車体側に取り付けることができ、また、磁着部を非磁着部から引き離すことによって車体側から取り外すことができる。したがって、灯体ユニットを、外観デザインや機能の異なるものに容易に交換することができる。
また、灯体ユニットをホルダーに取り付けた状態で、灯体ユニットを回転させると、灯体ユニット側の操作伝達用の永久磁石の回転に伴ってホルダー側の操作受け用の永久磁石が回転する。これにより、操作受け用の永久磁石の回転が回転検出部によって検出され、灯体の点灯に関するパラメータが回転検出部で検出される回転情報を基にして操作されるようになる。
【０００９】
前記灯体ユニットと前記ホルダーのいずれか一方には断面円形状の凸部（例えば、実施形態の先端部１４ｂ）が設けられ、前記灯体ユニットと前記ホルダーのいずれか他方には、前記凸部と嵌合可能な凹部（例えば、実施形態の嵌合孔２３ｄ、及び、磁着用永久磁石２４）が設けられ、前記磁着部は、前記凸部と前記凹部のいずれか一方に設けられ、前記被磁着部は、前記凸部と前記凹部のいずれか他方に設けられるようにしても良い。
【００１０】
この場合、断面円形状の凸部と凹部が嵌合されて灯体ユニットとホルダーが係合され、その状態で磁着部と被磁着部が磁着される。このため、磁着部と被磁着部が磁着されて、灯体ユニットが磁着部を中心として回転するときに、凸部と凹部の嵌合により灯体ユニットとホルダーの軸心位置が一定に維持される。このため、灯体ユニットとホルダーの位置ずれを防止し、灯体ユニットの回転を安定させることができる。
【００１１】
前記ホルダーには、前記凹部が設けられ、前記灯体ユニットには、前記凸部が前記凹部との嵌合方向に所定の変動代をもって設けられ、前記凸部と凹部には、両者の嵌合時に前記ホルダーと前記灯体ユニットの間で電気を授受する通電構造が設けられるようにしても良い。
【００１２】
この場合、灯体ユニットの取り付け時に灯体ユニット側の凸部をホルダー側の凹部に近づけると、磁着部と被磁着部の間に作用する磁力により、凸部が変動代の範囲内で突出してホルダー側の凹部に嵌合される。これにより、凸部と凹部が確実に嵌合され、ホルダーと灯体ユニットの間で電気の授受が行われるようになる。
【００１３】
前記凸部は、前記凹部との嵌合時には前記灯体ユニットの他の部位よりも突出し、前記凹部と非嵌合のときに押し込みによって前記灯体ユニットの他の部位と面一となるようにしても良い。
【００１４】
この場合、灯体ユニットをホルダーから取り外して、凸部側を下に向けてテーブル等の載置面上に載せ置くときに、凸部が載置面によって押し込まれることにより、灯体ユニットの他の部位と面一になる。したがって、灯体ユニットを載置面上に安定状態で載置することが可能になる。
【００１５】
前記灯体ユニットの連続した回転操作により、前記灯体ユニットの灯体と車室内の他の灯体とが連続して点灯に関するパラメータを操作されるようにしても良い。
【００１６】
この場合、一つの灯体ユニットの回転操作により、様々な灯体の点灯に関するパラメータを変更することが可能になる。
【発明の効果】
【００１７】
この発明によれば、灯体ユニットを回転させると、灯体ユニット側の操作伝達用の永久磁石の回転に伴ってホルダー側の操作受け用の永久磁石が回転し、その操作受け用の永久磁石の回転が回転検出部によって検出されて、灯体の点灯に関するパラメータが検出された回転情報に基づいて操作されるため、灯体ユニットの回転操作によって灯体の点灯に関するパラメータを自由に調整することができる。
また、この発明によれば、灯体ユニットの磁着部をホルダーの非磁着部に磁着することによって灯体ユニットが車体側に取り付けられるため、灯体ユニットを容易に脱着することができる。
【図面の簡単な説明】
【００１８】
【図１】この発明の一実施形態の車両用照明装置の斜視図である。
【図２】この発明の一実施形態の車両用照明装置の縦断面図である。
【図３】この発明の一実施形態の車両用照明装置のホルダーに収納される部品の斜視図である。
【図４】この発明の一実施形態の車両用照明装置の縦断面図である。
【図５】この発明の一実施形態の車両用照明装置の構成図である。
【図６】この発明の一実施形態の灯体ユニットの回転角度と輝度の関係を示す図である。
【図７】この発明の一実施形態の灯体ユニットの回転操作と車室内の複数の灯体の輝度の関係を示す図である。
【図８】この発明の一実施形態の灯体ユニットの操作速度と、輝度及び色調の変化の様子を示す図である。
【発明を実施するための形態】
【００１９】
以下、この発明の一実施形態を図面に基づいて説明する。
図１は、この実施形態に係る車両用照明装置１の斜視図である。
この実施形態に係る車両用照明装置１は、ＬＥＤ等の主灯体１１を有する灯体ユニット１０と、車室内の天井部２に設置され、灯体ユニット１０が脱着可能に、かつ回転可能に取り付けられるボックス状のホルダー２０と、を備えている。
なお、以下の説明においては、特別に断らない限り、「上」と「下」については、車両用照明装置１を車体に取り付けた状態での「上」と「下」を意味するものとする。
【００２０】
図２は、灯体ユニット１０をホルダー２０から取り外した状態の車両用照明装置１の縦断面図である。また、図３は、ホルダー２０の内部に収納される部品を示す斜視図であり、図４は、灯体ユニット１０をホルダー２０に取り付けた状態の車両用照明装置１の縦断面図である。
ホルダー２０のホルダーケース２２の下壁は透明樹脂等の透光性を有する素材によって形成されている。ホルダーケース２２の内部には、アンビエンス用等として用いられる円環状の副灯体２１が内蔵されている。ホルダーケース２２の下壁の一部は天井部２から車室内に一部露出し、その露出部分を通して副灯体２１の光が車室内に届くようになっている。
【００２１】
灯体ユニット１０は、上部に円形の開口１２ａが形成された略球状の灯体ハウジング１２と、灯体ハウジング１２の開口１２ａに取り付けられる円板状のベース部材１３と、灯体ハウジング１２内に設置される上記の主灯体１１と、を備えている。灯体ハウジング１２は、透明樹脂等の透光性を有する素材によって中空状に形成され、主灯体１１の光が透過し得るように構成されている。
【００２２】
ベース部材１３の中心部には、下面側に開口する円形の収容凹部１３ａと、収容凹部１３ａの底部においてベース部材１３を上下に貫通する貫通孔１３ｂが形成されている。収容凹部１３ａと貫通孔１３ｂには、Ｎ，Ｓいずれか一方の磁極が上方を向くように略円柱状の磁着用永久磁石１４が摺動自在に嵌合されている。磁着用永久磁石１４は、灯体ユニット１０の磁着部を構成し、灯体ユニット１０の回転軸としても機能する。また、磁着用永久磁石１４は、下端側に径方向外側に張り出すフランジ部１４ａを有し、そのフランジ部１４ａが収容凹部１３ａ内に配置されている。
【００２３】
ベース部材１３の収容凹部１３ａは、収容凹部１３ａと貫通孔１３ｂに磁着用永久磁石１４が嵌入された状態において、抜け止めプレート１５によって端部が閉塞されている。磁着用永久磁石１４のフランジ部１４ａは、抜け止めプレート１５と収容凹部１３ａの底面との間で所定ストローク上下に変位し得るようなっている。
【００２４】
磁着用永久磁石１４の先端部１４ｂは、フランジ部１４ａが収容凹部１３ａ内を上方に変位するときに、貫通孔１３ｂを通してベース部材１３の上面から上方に突出する。この実施形態においては、磁着用永久磁石１４の先端部１４ｂが灯体ユニット１０側の凸部を構成している。磁着用永久磁石１４は、フランジ部１４ａが収容凹部１３ａ内で所定範囲の上下ストロークを許容されているため、磁着用永久磁石１４の先端部１４ｂは上下方向に所定の変動代をもって設けられているものと言える。
【００２５】
磁着用永久磁石１４の軸心部には、上下方向に貫通するように導電性金属から成る端子部材１６が圧入固定されている。端子部材１６には、灯体ハウジング１２内の回路に接続される電源配線５０が接続されている。
【００２６】
また、ベース部材１３の磁着用永久磁石１４の設置部を中心とする回転対称位置には、磁着面が上面側に露出するように一対の操作伝達用永久磁石１７Ａ，１７Ｂ（操作伝達用の永久磁石）が取り付けられている。操作伝達用永久磁石１７Ａ，１７Ｂは、磁着用永久磁石１４と同様に略円柱状に形成され、Ｓ，Ｎいずれか一方の磁極面が上方を向くようにベース部材１３に取り付けられている。
【００２７】
この実施形態の場合、操作伝達用永久磁石１７Ａ，１７Ｂの上面側の磁極は、磁着用永久磁石１４の上面側の磁極と異なる磁極に設定されている。つまり、磁着用永久磁石１４の上面側の磁極がＳ極であれば、操作伝達用永久磁石１７Ａ，１７Ｂの上面側の磁極はＮ極に設定されている。このため、操作伝達用永久磁石１７Ａ，１７Ｂの間に配置されている磁着用永久磁石１４には、相反方向から操作伝達用永久磁石１７Ａと１７Ｂによる磁気吸引力が均等に作用し、磁着用永久磁石１４に外力が加えられなければ、磁着用永久磁石１４は、図２に示すように抜け止めプレート１５から若干浮き上がった浮動状態に維持される。
【００２８】
一方の操作伝達用永久磁石１７Ａの軸心部には、上下方向に貫通するように導電性金属から成る端子部材１８が圧入固定されている。端子部材１８には、灯体ハウジング１２内の回路に接続されるアース配線５１が接続されている。
【００２９】
一方、ホルダー２０は、中央に円筒状の支持筒２３ａを有する有底円筒状の保持部材２３と、保持部材２３の外周壁２３ｂの外面に取り付けられる上記の副灯体２１と、保持部材２３の支持筒２３ａに取り付けられ、灯体ユニット１０側の磁着用永久磁石１４が磁着される磁着用永久磁石２４（被磁着部）と、保持部材２３の支持筒２３ａの外周面に回転自在に支持される従動回転部材２５と、従動回転部材２５の回転を検出する回転検出ブロック２６（回転検出部）と、ホルダーケース２２の下壁に取り付けられ、灯体ユニット１０側の操作伝達用永久磁石１７Ａ，１７Ｂと端子部材１８が接触する略円板状のアースプレート２７と、を備えている。従動回転部材２５には、操作伝達用永久磁石１７Ａ，１７Ｂと相互に吸引し合う操作受け用永久磁石２８（操作受け用の永久磁石）が保持されている。
【００３０】
保持部材２３は、磁性及び導電性を有しない樹脂材料によって形成され、円形の底壁２３ｃを下向きにして、その底壁２３ｃがアースプレート２７に接するようにホルダーケース２２内に固定設置される。また、底壁２３ｃの中心部には、支持筒２３ａの内周面に連続する円形の嵌合孔２３ｄが形成されている。この嵌合孔２３ｄは、灯体ユニット１０側の磁着用永久磁石１４の先端部１４ｂが摺動自在に嵌入される部分であり、磁着用永久磁石１４の先端部１４ｂの外径よりも若干大きい内径に形成されている。また、嵌合孔２３ｄには、支持筒２３ａの上方側から磁着用永久磁石２４の先端部が挿入され、磁着用永久磁石２４は、その状態において支持筒２３ａの上端部に固定されている。嵌合孔２３ｄに挿入される磁着用永久磁石２４の先端部の軸長は、嵌合孔２３ｄの全長よりも短く設定されている。嵌合孔２３ｄと磁着用永久磁石２４の先端面とは、灯体ユニット１０側の磁着用永久磁石１４の先端部１４ｂと嵌合可能な下向きの凹部を形成している。
【００３１】
磁着用永久磁石２４は、灯体ユニット１０側の磁着用永久磁石１４の上端の磁極と逆の磁極が下方を向くように設置されている。また、磁着用永久磁石２４の軸心部には、上下方向に貫通するように導電性金属から成る端子部材２９が圧入固定されている。端子部材２９には、車両電源に接続される電源配線５２が接続されている。端子部材２９は、灯体ユニット１０側の磁着用永久磁石１４が嵌合孔２３ｄに嵌入されて、その端面が磁着用永久磁石２４の端面に磁着されたときに、灯体ユニット１０側の端子部材１６と接触接続される。したがって、灯体ユニット１０側の凸部を構成する磁着用永久磁石１４の先端部１４ｂと、ホルダー２０側の凹部を構成する磁着用永久磁石２４の先端部とは、ホルダー２０と灯体ユニット１０の間で電気を授受する通電構造を構成している。
【００３２】
また、従動回転部材２５は、保持部材２３の支持筒２３ａの外周面に回転自在に支持される筒状壁２５ａと、筒状壁２５ａの外面から９０°間隔で放射方向に突出する４本の支持アーム２５ｂ…と、備えている。各支持アーム２５ｂには、操作受け用永久磁石２８がそれぞれ取り付けられている。
なお、この実施形態の場合、従動回転部材２５には、操作受け用永久磁石２８を保持する４本の支持アーム２５ｂが突設されているが、従動回転部材２５に突設する支持アーム２５ｂは４本以外の本数、例えば２本であっても良い。ただし、この実施形態のように２本以上に設定した場合には、後に説明する従動回転部材２５の回転の検出精度が高まる。また、灯体ユニット１０をホルダー２０に取り付けたときに、灯体ユニット１０側の操作伝達用永久磁石１７Ａ，１７Ｂを、従動回転部材２５の対を成す操作受け用永久磁石２８，２８に迅速に対向させることが可能になる。
【００３３】
操作受け用永久磁石２８は、灯体ユニット１０側の操作伝達用永久磁石１７Ａ，１７Ｂの上端の磁極と逆の磁極が下方を向くように各支持アーム２５ｂに取り付けられている。灯体ユニット１０側の操作伝達用永久磁石１７Ａ，１７Ｂは、回転中心（磁着用永久磁石１４）を挟む相反位置に２つ設けられているのに対し、操作受け用永久磁石２８は、保持部材２３の回転中心回りに９０°間隔で４つ設けられている。このため、操作受け用永久磁石２８は、保持部材２３の回転中心を挟んで相反位置にあるいずれかの対が、灯体ユニット１０側の操作伝達用永久磁石１７Ａ，１７Ｂと相互に吸引し合うことになる。
【００３４】
回転検出ブロック２６は、従動回転部材２５に取り付けられた操作受け用永久磁石２８の回転軌道に対向する位置に、ホールＩＣ等の図示しない磁気検出素子が取り付けられている。磁気検出素子は、信号処理回路を通して車両の制御装置３５（図５参照）に接続されている。
【００３５】
また、アースプレート２７は、導電性を有する非磁性のステンレス鋼等によって形成され、車体のボディ等の導電部にアース設置されている。アースプレート２７は非磁性であるため、灯体ユニット１０側の操作伝達用永久磁石１７Ａ，１７Ｂは、アースプレート２７に接したままそのアースプレート２７に磁着せずに自由に摺動回転することができる。
【００３６】
ところで、灯体ユニット１０は、ベース部材１３の上面から突出した磁着用永久磁石１４の先端部１４ｂをホルダー２０側の嵌合孔２３ｄに嵌入し、磁着用永久磁石１４の先端部１４ｂをホルダー２０側の磁着用永久磁石２４に磁着することにより、天井部２に設置されたホルダー２０に取り付けられる。このとき、灯体ユニット１０側の操作伝達用永久磁石１７Ａ，１７Ｂはアースプレート２７の下面に接触する。これにより、灯体ユニット１０側の電源配線５０とアース配線５１とはホルダー２０側の電源供給部に電気的に接続される。磁着用永久磁石１４は灯体ユニット１０に回転可能に保持されているため、灯体ユニット１０はホルダー２０に対して回転可能とされる。また、灯体ユニット１０側の操作伝達用永久磁石１７Ａ，１７Ｂとホルダー２０側の任意の対の操作受け用永久磁石２８，２８との間には、磁気による拘束力が作用する。したがって、このときホルダー２０側の従動回転部材２５（操作受け用永久磁石２８）は、灯体ユニット１０と同期して回転することになる。
【００３７】
ホルダー２０に取り付けられた灯体ユニット１０は、乗員の手によって把持され、そのまま任意の方向に回転操作される。灯体ユニット１０は、乗員によって回転操作されると、その灯体ユニット１０の回転に同期してホルダー２０側の従動回転部材２５が回転し、従動回転部材２５に保持された操作受け用永久磁石２８の回転が回転検出ブロック２６によって検出される。回転検出ブロック２６で検出された回転信号は制御装置３５に出力される。
【００３８】
この実施形態の場合、制御装置３５は、回転検出ブロック２６から回転信号を受け、その信号に応じて灯体ユニット１０の主灯体１１の輝度等の点灯に関するパラメータを変更するようになっている。
【００３９】
図５は、この実施形態に係る車両用照明装置１の内部の構成を概略的に示した図である。
ホルダー２０側の磁着用永久磁石２４に埋設された端子部材２９とアースプレート２７とは、それぞれ制御装置３５の電力制御部に接続され、回転検出ブロック２６は、制御装置３５の灯体制御部に接続されている。
【００４０】
この実施形態の灯体ユニット１０は、灯体ユニット１０をホルダー２０から取り外した状態でも、灯体ユニット１０の主灯体１１を独立して点灯できるように、充放電が可能な内蔵バッテリ４０を搭載している。内蔵バッテリ４０は、充電回路４２を介して灯体ユニット１０の電源配線５０とアース配線５１に接続され、灯体ユニット１０をホルダー２０に取り付けた状態において、車載電源の電力によって内蔵バッテリ４０を充電し得るようになっている。また、灯体ユニット１０の電源配線５０とアース配線５１は電源スッチ回路４１を通して灯体ユニット１０の主灯体１１に接続されている。主灯体１１への供給電力は、電源スッチ回路４１を介して、車載電源と内蔵バッテリ４０のいずれかに適宜切り換えられるようになっている。
なお、この実施形態の灯体ユニット１０では、内蔵バッテリ４０を搭載しているが、灯体ユニット１０をホルダー２０から取り外して使用しない場合には、内蔵バッテリ４０は必ずしも搭載する必要はない。
【００４１】
図６は、制御装置３５が、回転検出ブロック２６から灯体ユニット１０の回転情報を受けて、主灯体１１の点灯に関するパラメータを変更する一例を示す図である。この例は、灯体ユニット１０の回転角度の変化に応じて主灯体１１の点灯輝度を比例的に増大させるようにしたものである。したがって、この場合、乗員が灯体ユニット１０を直接把持して一方向に回転させると、その回転量に応じて主灯体１１の輝度が高まる。
【００４２】
また、他の例としては、主灯体１１の点灯輝度は、基本的に、灯体ユニット１０の回転角度の変化に応じて比例的に増大させ、灯体ユニット１０の回転速度が一定速度を超えた場合には、回転角度に関係なく最大輝度に変更するようにしても良い。したがって、この場合、灯体ユニット１０を急激に回転させることによって、主灯体１１をＯＮ，ＯＦＦスイッチのように使用することができる。
【００４３】
また、制御装置３５は、回転検出ブロック２６から灯体ユニット１０の回転情報を受けたときに、主灯体１１の点灯輝度だけでなく、ホルダー２０内の副灯体２１や車室内の足元のフットライト等の他の灯体の点灯輝度等を回転情報に基づいて併せて変更するようにしても良い。
【００４４】
図７は、フットライトと、アンビエンス用の副灯体と、主灯体の点灯輝度を、灯体ユニット１０の回転角度の変化に応じて連続して変更するようにしたときの一例を示す図である。図７においては、ライトＣはフットライトに対応し、ライトＢは副灯体２１、ライトＣは主灯体１１に対応している。
この例の場合、フットライトの点灯中に灯体ユニット１０を一方向に連続して回転させると、フットライトの点灯輝度が次第に減少するとともに、逆に、天井部のアンビエンス用の副灯体２１の点灯輝度が次第に増大する。そして、灯体ユニット１０をさらに回転させると、天井部のアンビエンス用の副灯体２１の点灯輝度が次第に減少するとともに、灯体ユニット１０の主灯体１１の点灯輝度が次第に増大する。
この例のように、灯体ユニット１０の回転角度に応じてフットライト、副灯体２１、主灯体１１の点灯輝度を連側的に変更するようにした場合には、車室内の光を滑らかに移動させることができる。
【００４５】
また、制御装置３５は、回転検出ブロック２６から灯体ユニット１０の回転情報を受けたときに、主灯体１１の点灯輝度だけでなく、主灯体１１の点灯色を変更できるようにしても良い。
【００４６】
図８は、灯体ユニット１０を一方向に回転させて主灯体１１の点灯輝度を変更した後に、灯体ユニット１０を短時間間欠的に回転操作したときに、主灯体１１の点灯色を別の色に変更できるようにしたときの一例を示す図である。
図８中の時間Ｔ１からＴ２までの間は、灯体ユニット１０を一方向に回転させることで主灯体１１の点灯輝度を連続的に増大させており、その後のＴ３からＴ４までの間は、灯体ユニット１０を短時間、間欠的に回転操作している。この特有の間欠的な回転操作が行われると、制御装置３５では、点灯色の切り換え指示があったものとして、その指示を受け付けたことを乗員に知らせるために、主灯体１１の点灯輝度を間欠的に変化させる（時間Ｔ４参照）。この後、時間Ｔ５からＴ６の間、灯体ユニット１０が一方向に回転操作されると、制御装置３５は、主灯体１１の点灯色を別の色に変更する。
【００４７】
以上のように、この実施形態に係る車両用照明装置１の場合、灯体ユニット１０が回転操作されて灯体ユニット１０側の操作伝達用永久磁石１７Ａ，１７Ｂが回転すると、灯体ユニット１０側の操作伝達用永久磁石１７Ａ，１７Ｂと吸引し合うホルダー２０側の操作受け用永久磁石２８，２８が灯体ユニット１０と同期回転する。そして、操作受け用永久磁石２８，２８が灯体ユニット１０と同期して回転すると、その回転が回転検出ブロック２６によって検出され、その検出信号を受けた制御装置３５が主灯体１１の点灯に関するパラメータである輝度等を変更する。
したがって、この実施形態に係る車両用照明装置１を採用することにより、灯体ユニット１０の回転操作によって主灯体１１の点灯に関するパラメータを自由に変更することができる。
【００４８】
また、この実施形態に係る車両用照明装置１は、灯体ユニット１０の磁着用永久磁石１４をホルダー２０側の磁着用永久磁石２４に磁着することによって、灯体ユニット１０を車体側のホルダー２０に容易に取り付けることができ、さらにホルダー２０から容易に取り外すこともできる。
したがって、この実施形態に係る車両用照明装置１を採用することにより、形状や機能の異なる灯体ユニット１０をユーザーの好み等に応じて容易に交換することができる。
【００４９】
また、この実施形態に係る車両用照明装置１の場合、灯体ユニット１０側に磁着用永久磁石１４の断面円形状の先端部１４ｂが突設され、ホルダー２０側に、磁着用永久磁石１４の先端部１４ｂと嵌合可能な嵌合孔２３ｄが設けられ、嵌合孔２３ｄの底部に、灯体ユニット１０側に磁着用永久磁石１４と磁着される磁着用永久磁石２４が設けられている。このため、磁着用永久磁石１４と２４が磁着されて、灯体ユニット１０が磁着用永久磁石１４を中心として回転するときに、磁着用永久磁石１４の先端部１４ｂと嵌合孔２３ｄとの嵌合によって、磁着用永久磁石１４と２４の軸心位置を一定に維持することができる。
したがって、この実施形態に係る車両用照明装置１を採用することにより、灯体ユニット１０とホルダー２０の位置ずれを防止し、灯体ユニット１０の回転を安定させることができる。
なお、ここで説明した実施形態においては、灯体ユニット１０側に凸部（磁着用永久磁石１４の先端部１４ｂ）が設けられ、ホルダー２０側に、凸部と嵌合可能な凹部（嵌合孔２３ｄ）が設けられているが、逆に、ホルダー２０側に凸部を設け、灯体ユニット１０側に凸部と嵌合可能な凹部を設けるようにしても良い。
【００５０】
さらに、この実施形態に係る車両用照明装置１においては、ホルダー２０側に嵌合孔２３ｄが設けられ、灯体ユニット１０側に、磁着用永久磁石１４が上下方向に所定の変動代をもって設けられ、磁着用永久磁石１４の先端部１４ｂが嵌合孔２３ｄに嵌合されてホルダー２０側の磁着用永久磁石２４に磁着されたときに、ホルダー２０と灯体ユニット１０の間で通電がなされるようになっている。このため、灯体ユニット１０の取り付け時に灯体ユニット１０側の磁着用永久磁石１４の先端部１４ｂをホルダー２０側の嵌合孔２３ｄに近づけたときに、ホルダー２０側の磁着用永久磁石２４との間に吸引磁力が働いて磁着用永久磁石１４が上方に飛び出し、磁着用永久磁石１４の先端部１４ｂが嵌合孔２３ｄに嵌入してホルダー２０側の磁着用永久磁石２４に磁着される。
したがって、この実施形態に係る車両用照明装置１を採用することにより、灯体ユニット１０の取付時に、灯体ユニット１０側をホルダー２０側と確実に電気的に接続することができる。
【００５１】
また、この実施形態に係る車両用照明装置１では、灯体ユニット１０側の磁着用永久磁石１４の先端部１４ｂは、嵌合孔２３ｄとの嵌合時には灯体ユニット１０の上面の他の部位よりも上方に突出し、灯体ユニット１０の内側方向に押し込み操作されたときに、灯体ユニット１０の上面の他の部位と面一となるように設定されている。このため、灯体ユニット１０をホルダー２０から取り外し、上下を逆にしてテーブル等の載置面上に載せ置く場合には、磁着用永久磁石１４の先端部１４ｂが載置面によって内部に押し込まれて、灯体ユニット１０の他の部位と面一になる。
したがって、この実施形態に係る車両用照明装置１を採用した場合には、取り外した灯体ユニット１０を載置面上に安定状態で載置することができる。
【００５２】
さらに、上述したように灯体ユニット１０の連続した回転操作により、灯体ユニット１０の主灯体１１だけでなく、車室内の他の灯体の点灯に関するパラメータが操作されるようにした場合には、灯体ユニット１０の回転操作一つで様々な灯体のパラメータを変更することができる。
【００５３】
また、この実施形態に係る車両用照明装置１において、灯体ユニット１０側の操作伝達用永久磁石１７Ａ，１７Ｂが磁着用永久磁石１４を挟んで対称位置に対をなして設けられているため、磁着用永久磁石１４をホルダー２０側の磁着用永久磁石２４に磁着して灯体ユニット１０をホルダー２０に取り付けたときに、回転軸周りの磁力のばらつきによって灯体ユニット１０が傾くのを未然に防止することができる。
したがって、この車両用照明装置１を採用することにより、灯体ユニット１０の取付姿勢を安定させることができる。
【００５４】
なお、この発明は上記の実施形態に限定されるものではなく、その要旨を逸脱しない範囲で種々の設計変更が可能である。例えば、ホルダー２０側に灯体ユニット１０を取り外す前の主灯体１１の点灯輝度を記憶する記憶部を設け、灯体ユニット１０を一度取り外した後に再度取り付けるときに、灯体ユニット１０の主灯体１１の点灯輝度を取り外す前の輝度に復帰させるようにしても良い。また、灯体ユニット１０を一度取り外した後に再度取り付けるときに、事前に設定されている輝度で主灯体１１を点灯するようにしても良い。
さらにまた、灯体ユニット１０に灯体ユニット１０を取り外す前の主灯体１１の点灯輝度を記憶する記憶部を設け、灯体ユニット１０を取り外した後に、その灯体ユニット１０の主灯体１１を取り外し前と同じ輝度で点灯させるようにしても良い。また、この場合も、事前に設定されている輝度で主灯体１１を点灯するようにしても良い。
【符号の説明】
【００５５】
１…車両用照明装置
１０…灯体ユニット
１１…主灯体（灯体）
１４…磁着用永久磁石（磁着部）
１４ｂ…上部（凸部）
１７Ａ，１７Ｂ…操作伝達用永久磁石（操作伝達用の永久磁石）
２０…ホルダー
２３ｄ…嵌合孔（凹部）
２４…磁着用永久磁石（被磁着部，凹部）
２６…回転検出ブロック（回転検出部）
２８…操作受け永久磁石
【図１】
2016037244.tif 000003
【図２】
2016037244.tif 000004
【図３】
2016037244.tif 000005
【図４】
2016037244.tif 000006
【図５】
2016037244.tif 000007
【図６】
2016037244.tif 000008
【図７】
2016037244.tif 000009
【図８】
2016037244.tif 000010